(57)【要約】【課題】供給位置と排出位置との間の被選別物の移送経路途中に篩部材の篩面からの被選別物の移送高さを規制する規制部材が設けられているので、過量の被選別物を篩部材上の供給位置に供給したとしても、規制部材により被選別物の移送高さが規制されているので、篩選別が不十分なまま排出位置に移送されてしまうことがなくなり、良好な篩選別を行うことができる。【解決手段】苗箱用土、堆肥、収穫物等の被選別物Ｗを受入可能な篩部材２と、篩部材に篩部材内の被選別物が篩部材の一方側部の供給位置Ｋから他方側部の排出位置Ｈへと移送される篩振動を付与する篩機構３とを備えてなり、上記供給位置と上記排出位置との間の上記被選別物の移送経路途中に該篩部材の篩面からの該被選別物の移送高さを規制する規制部材１３を設けてなる。【選択図】        図１
2004337760.tif 000002
【特許請求の範囲】
【請求項１】
苗箱用土、堆肥、収穫物等の被選別物を受入可能な篩部材と、該篩部材に該篩部材内の被選別物が該篩部材の一方側部の供給位置から他方側部の排出位置へと移送される篩振動を付与する篩機構とを備えてなり、上記供給位置と上記排出位置との間の上記被選別物の移送経路途中に該篩部材の篩面からの該被選別物の移送高さを規制する規制部材を設けてなることを特徴とする篩選別装置。
【請求項２】
上記規制部材の設置高さを調節するための高さ調節機構を設けてなることを特徴とする請求項１記載の篩選別装置。
【請求項３】
上記篩部材を選別機体に配設し、該選別機体に上記被選別物の移送経路途中の上方位置に設置部材を設け、該設置部材に上記規制部材を設けてなることを特徴とする請求項１又は２記載の篩選別装置。
【請求項４】
上記高さ調節機構として、上記設置部材に上記規制部材を上下調節自在に取り付けてなることを特徴とする請求項３記載の篩選別装置。
【発明の詳細な説明】
【０００１】
【発明の属する技術分野】
本発明は例えば苗箱用土、生ゴミ堆肥等の有機肥料、大豆等の収穫物等の被選別物から団塊、砂利、石、砂、プラスチック片等を粒度分別する際に用いられる篩選別装置に関するものである。
【０００２】
【従来の技術】
従来、この種の篩選別装置として、選別機体に被選別物を受入可能な篩部材を設け、篩部材に該篩部材内の被選別物が該篩部材の一方側部の供給位置から他方側部の排出位置へと移送される篩振動を付与する篩機構を設けて構成したものが知られている。しかして、篩部材の一方側部の供給位置に苗箱用土、堆肥、収穫物等を供給し、篩機構により篩部材を篩振動させ、篩部材内の被選別物を篩うことにより団塊、砂利、石、砂、プラスチック片等以外の小粒度の被選別物を篩部材から落下させ、団塊、砂利、石、砂、プラスチック片等は他方側部の排出位置へと移送して排出することになる。
【０００３】
【発明が解決しようとする課題】
しかしながら上記従来構造の場合、被選別物を篩部材の一方側部の供給位置から他方側部の排出位置へと移送させつつ篩振動させる構造となっているため、過量の被選別物を篩部材上の供給位置に供給すると、未だ篩選別が不十分な状態で排出位置に移送されてしまうことがあり、大量の被選別物の供給に対処するため、供給位置と排出位置との間の移送経路長を長くしなければならず、装置の大型化を招いて製作コストの高騰並びに大きな設置、保管スペースが必要となるという不都合を有している。
【０００４】
【課題を解決するための手段】
本発明はこのような課題を解決することを目的とするもので、本発明のうちで、請求項１記載の発明は、苗箱用土、堆肥、収穫物等の被選別物を受入可能な篩部材と、該篩部材に篩部材内の被選別物が該篩部材の一方側部の供給位置から他方側部の排出位置へと移送される篩振動を付与する篩機構とを備えてなり、上記供給位置と上記排出位置との間の上記被選別物の移送経路途中に該篩部材の篩面からの該被選別物の移送高さを規制する規制部材を設けてなることを特徴とする篩選別装置にある。
【０００５】
又、請求項２記載の発明は、上記規制部材の設置高さを調節するための高さ調節機構を設けてなることを特徴とするものであり、又、請求項３記載の発明は、上記篩部材を選別機体に配設し、該選別機体に上記被選別物の移送経路途中の上方位置に設置部材を設け、該設置部材に上記規制部材を設けてなることを特徴とするものであり、又、請求項４記載の発明は、上記高さ調節機構として、上記設置部材に上記規制部材を上下調節自在に取り付けてなることを特徴とするものである。
【０００６】
【発明の実施の形態】
図１乃至図６は本発明の実施の形態例を示し、１は選別機体であって、この場合、水平枠部１ａ、前脚部１ｂ及び後脚部１ｃからなり、前脚部１ｂ及び後脚部１ｃに調節ボルト１ｄを取付け、この水平枠部１ａの下方位置にコンテナ等の収納箱Ｎやシートを配置するように構成している。
【０００７】
２は篩部材であって、この場合、底面の篩目板２ａ、側面板２ｂ、後板２ｃからなる前面を排出開口部２ｄとした四角枠状状に形成され、この篩部材の一方側部を供給位置Ｋとし、他方側部を排出位置Ｈとしている。
【０００８】
３は篩機構であって、この場合、選別機体１の後部下部にモータ４を設けると共に後部上部に回転軸５を軸受６により回転自在に配設し、回転軸５をベルト伝導機構７により回動し、回転軸５の左右両端部に回転軸５の軸線Ｌに対して偏心した軸線Ｍをもつ偏心軸部８・８を形成し、偏心軸部８・８を篩部材２の左右両側後部に軸受９により枢着連結し、選別機体１の前部左右両側部にリンク部材１０・１０の上端部を上枢軸１１・１１により枢着連結し、リンク部材１０・１０の下端部を篩部材２の前部左右両側部に下枢軸１２・１２により枢着連結して構成している。
【０００９】
しかして、モータ４により回転軸４を回転させることにより偏心軸部８・８及びリンク部材１０・１０によるてこクランク機構Ｄにより篩部材２に篩振動を付与し、この篩振動により苗箱用土、堆肥、収穫物等の被選別物Ｗを一方側部の供給位置Ｋから他方側部の排出位置Ｈへと移送しつつ篩うように構成している。この移送作用はてこクランク機構Ｄのリンク長や調節ボルト１ｄによる篩部材２の傾斜角度により調整される。
【００１０】
１３は規制部材、１４は高さ調節機構であって、この場合、選別機体１に上記供給位置Ｋと上記排出位置Ｈとの間の上記被選別物Ｗの移送経路途中の上方位置に設置部材１５を跨設し、この設置部材１５に篩部材２の篩面Ｆからの被選別物Ｗの移送高さＳを規制する規制部材１３を長穴１４ａ及び取付ボルト１４ｂにより設置高さ調節自在に取り付け固定するように構成している。
【００１１】
この実施の形態例は上記構成であるから、苗箱用土、生ゴミ堆肥等の有機肥料、大豆等の収穫物等の被選別物Ｗを篩部材２の一方側部の供給位置Ｋに投入し、篩機構３により篩部材２に篩振動を付与し、この篩振動により団塊、砂利、石、砂、プラスチック片以外の小粒度の選別物Ｗ１は篩部材２の篩目板２ａから落下し、団塊、砂利、石、砂、プラスチック片等の大粒度の排出物Ｗ２は残留し、かつ、篩部材２内の被選別物Ｗは篩部材２の一方側部の供給位置Ｋから他方側部の排出位置Ｈへと移送され、団塊、砂利、石、砂、プラスチック片等の排出物Ｗ２は篩部材２の排出開口部２ｄから落下排出され、これにより被選別物Ｗの粒度分別がなされることになる。
【００１２】
この際、上記供給位置Ｋと上記排出位置Ｈとの間の上記被選別物Ｗの移送経路途中に篩部材２の篩面Ｆからの被選別物Ｗの移送高さＳを規制する規制部材１３が設けられているので、過量の被選別物Ｗを篩部材２上の供給位置Ｋに供給したとしても、規制部材１３により被選別物Ｗの移送高さＳが規制されているので、篩選別が不十分なまま排出位置Ｈに移送されてしまうことがなくなり、良好な篩選別を行うことができると共に供給位置Ｋと排出位置Ｈとの間の移送経路長を短くすることができ、装置の小大型化を図ることができ、装置の製作コスト低減の並びに設置、保管スペースの省スペース化を図ることができる。
【００１３】
又、この場合、上記規制部材１３の設置高さを調節するための高さ調節機構１４を設けてなるから、規制部材１３の設置高さを調節することにより被選別物Ｗの移送高さＳを調節することができ、各種の被選別物Ｗに対する融通性を高めることができ、又、この場合、上記篩部材２を選別機体２に配設し、選別機体１に上記被選別物Ｗの移送経路途中の上方位置に設置部材１５を設け、設置部材１５に上記規制部材１３を設けてなるから、規制部材１３を容易に配置することができ、又、この場合、上記高さ調節機構１４として、上記設置部材１５に上記規制部材１３を上下調節自在に取り付けてなるから、構造を簡素化することができ、一層製作コストを低減することができる。
【００１４】
尚、本発明は上記実施の形態例に限られるものではなく、選別機体１、篩部材２、篩機構３の構造や材質、篩部材２の篩目板２ａの通穴の形状や大きさ等は被選別物に応じて適宜変更して設計される。
【００１５】
【発明の効果】
本発明は上述の如く、請求項１記載の発明にあっては、供給位置と上記排出位置との間の被選別物の移送経路途中に篩部材の篩面からの被選別物の移送高さを規制する規制部材が設けられているので、過量の被選別物を篩部材上の供給位置に供給したとしても、規制部材により被選別物の移送高さが規制されているので、篩選別が不十分なまま排出位置に移送されてしまうことがなくなり、良好な篩選別を行うことができると共に供給位置と排出位置との間の移送経路長を短くすることができ、装置の小大型化を図ることができ、装置の製作コスト低減の並びに設置、保管スペースの省スペース化を図ることができる。
【００１６】
又、請求項２記載の発明にあっては、上記規制部材の設置高さを調節するための高さ調節機構を設けてなるから、規制部材の設置高さを調節することにより被選別物の移送高さを調節することができ、各種の被選別物に対する融通性を高めることができ、又、請求項３記載の発明にあっては、上記篩部材を選別機体に配設し、選別機体に上記被選別物の移送経路途中の上方位置に設置部材を設け、設置部材に上記規制部材を設けてなるから、規制部材を容易に配置することができ、又、請求項４記載の発明にあっては、上記高さ調節機構として、上記設置部材に上記規制部材を上下調節自在に取り付けてなるから、構造を簡素化することができ、一層製作コストを低減することができる。
【００１７】
以上、所期の目的を充分達成することができる。
【図面の簡単な説明】
【図１】本発明の実施の形態例の全体斜視図である。
【図２】本発明の実施の形態例の全体平面図である。
【図３】本発明の実施の形態例の全体側断面図である。
【図４】本発明の実施の形態例の部分拡大横断面図である。
【図５】本発明の実施の形態例の部分側断面図である。
【図６】本発明の実施の形態例の横断面図である。
【符号の説明】
Ｈ  排出位置
Ｗ  被選別物
Ｋ  供給位置
Ｆ  篩面
Ｓ  移送高さ
１  選別機体
２  篩部材
３  篩機構
１３  規制部材
１４  高さ調節機構
１５  設置部材
【図１】
2004337760.tif 000003
【図２】
2004337760.tif 000004
【図３】
2004337760.tif 000005
【図４】
2004337760.tif 000006
【図５】
2004337760.tif 000007
【図６】
2004337760.tif 000008